(57)【要約】【課題】靴下のつま先部分や踵部分の補修に適した靴下補修パッチを提供する。【解決手段】靴下補修パッチ１は、靴下にできた孔を塞ぐ布製のパッチ体２と、布製パッチ体２の片面に形成された粘着層３と、接粘着３を覆うべくこれに剥離可能に貼着された剥離紙４とを有する。パッチ体２は、補修対象である靴下の編地と同じ丸編みにより編成された綿とポリエステルの混紡糸からなる円形の布であり、靴下のつま先部分の椀状の立体形状に倣ってフィットする。【選択図】図１
2011231430.tif 000002
【特許請求の範囲】
【請求項１】
靴下にできた孔を補修するための補修パッチであって、
前記孔を塞ぐ布製のパッチ体と、
前記パッチ体の片面に形成された粘着層とを有し、
前記パッチ体は、靴下のつま先部分の椀状の立体形状に倣ってフィットし得る伸縮性を有する布であることを特徴とする、靴下補修パッチ。
【請求項２】
前記布は、補修対象である靴下の編地と同じ編みにより編成された布である、請求項１の靴下補修パッチ。
【請求項３】
前記布は、丸編みにより編成された布である、請求項２の靴下補修パッチ。
【請求項４】
前記布は、綿とポリエステルの混紡糸からなる、請求項１〜３のいずれか１項に記載の靴下補修パッチ。
【請求項５】
前記粘着層は、主剤としてアクリル樹脂、粘着性付与剤としてイソシアネートを用いたアクリル系接着剤からなる、請求項１〜４のいずれか１項に記載の靴下補修パッチ。
【請求項６】
前記アクリル系接着剤は、アクリル樹脂、イソシアネート、酢酸エチル及びメチルシクロヘキサンを、それぞれ４１重量％、４重量％、２１重量％及び３４％の割合で混合してなる、請求項５の靴下補修パッチ。
【請求項７】
前記粘着層を覆うべくこれに剥離可能に貼着された剥離紙を有する、請求項１〜６のいずれか１項に記載の靴下補修パッチ。
【請求項８】
請求項１〜７のいずれかに記載の靴下補修パッチを台紙に貼り着けてなる靴下補修パッチセットであって、
前記台紙に、径寸法が互いに異なる少なくとも二種類の円形の靴下補修パッチが貼り着けられている、靴下補修パッチセット。
【請求項９】
前記少なくとも二種類の円形の靴下補修パッチのうち、最小径寸法の靴下補修パッチはつま先用補修シートであり、最大径寸法の靴下補修パッチはかかと用補修シートである、請求項８の靴下補修パッチセット。
【発明の詳細な説明】
【技術分野】
【０００１】
本発明は、靴下にできた孔の補修や薄くなった部分の補強を行うための靴下補修パッチに関する。
【背景技術】
【０００２】
ストッキングなどに伝線やほころびが生じたときに、応急補修するための補修パッチが知られている（特許文献１）。
【０００３】
しかし、この種の従来の補修パッチは、ストッキングの脹ら脛の部分や股の部分など比較的平坦な形状の部分の補修には適しているが、靴下のつま先や踵部分の補修には適さない。補修した靴下をはいたときに補修パッチを貼った部分に補修じわが発生し、補修じわによる布地の隆起や重なりによる凸凹によって補修後の靴下の履き心地が著しく悪くなるためである。
【先行技術文献】
【特許文献】
【０００４】
【特許文献１】特開平７−２２９０１３号公報
【発明の概要】
【発明が解決しようとする課題】
【０００５】
本発明が解決しようとする課題は、靴下のつま先部分や踵部分の補修に適した靴下補修パッチと、これを複数枚セットにした靴下補修パッチセットを提供することにある。
【課題を解決するための手段】
【０００６】
[靴下補修パッチ]
上記課題を解決するために、本発明の靴下補修パッチは、靴下にできた孔を塞ぐ布製のパッチ体と、前記パッチ体の片面に形成された粘着層とを有し、前記パッチ体は、靴下のつま先部分の椀状の立体形状に倣ってフィットし得る伸縮性を有する布であることを特徴としている。
この靴下補修パッチは、靴下のつま先部分の椀状の立体形状に倣ってフィットし得る伸縮性を有する布をパッチ体に使用しているので、補修した靴下をはいたときにパッチ体を貼った部分に補修じわが発生し難い。
【０００７】
また、前記布は、補修対象である靴下の編地と同じ編みにより編成された布であることが望ましい。
本発明の靴下補修パッチにおいて、前記布は、丸編みにより編成された布であることが望ましい。
また、前記布は、綿とポリエステルの混紡糸からなることが望ましい。
また、前記粘着層は、主剤としてアクリル樹脂、粘着性付与剤としてイソシアネートを用いたアクリル系接着剤からなることが望ましい。
また、前記アクリル系接着剤は、アクリル樹脂、イソシアネート、酢酸エチル及びメチルシクロヘキサンを、それぞれ４１重量％、４重量％、２１重量％及び３４％の割合で混合してなることが望ましい。
また、前記粘着層を覆うべくこれに剥離可能に貼着された剥離紙を有することが望ましい。
【０００８】
[靴下補修パッチセット]
上記課題を解決するために、本発明の靴下補修パッチセットは、本発明の靴下補修パッチを台紙に貼り着けてなる靴下補修パッチセットであって、
前記台紙に、径寸法が互いに異なる少なくとも二種類の円形の靴下補修パッチを貼り着けたものである。
【０００９】
本発明の靴下補修パッチセットにおいて、前記少なくとも二種類の円形の靴下補修パッチのうち、最小径寸法の靴下補修パッチはつま先用補修シートであり、最大径寸法の靴下補修パッチはかかと用補修シートであることが望ましい。
【発明の効果】
【００１０】
本発明の靴下補修パッチによれば、補修後の靴下をはいたときにパッチ体を貼った部分に補修じわが発生し難くいので、履き心地を損なうことなく靴下の補修をおこなうことができる。
本発明の靴下補修パッチセットによれば、靴下の補修箇所に適した靴下補修パッチを台紙から剥がして使用することにより靴下の補修をおこなうことができる。
【図面の簡単な説明】
【００１１】
【図１】（ａ）は本発明の靴下補修パッチの実施形態を例示する平面図である。（ｂ）は（ａ）に示す靴下補修パッチのＡ−Ａ断面図である。
【図２】（ａ）〜（ｃ）は本発明の靴下補修パッチの使用方法を例示する一連の工程図である。
【図３】本発明の靴下補修パッチセットの実施形態を例示する平面図である。
【図４】（ａ）は本発明の靴下補修パッチの別の実施形態を例示する平面図である。（ｂ）は（ａ）に示す靴下補修パッチのＡ−Ａ断面図である。
【図５】図４に示す靴下補修パッチの使用態様を例示する平面図である。
【発明を実施するための形態】
【００１２】
以下、本発明の実施形態につき添付図面を参照して説明する。
図１に示す靴下補修パッチ１は、靴下にできた孔を塞ぐ布製のパッチ体２と、パッチ体２の片面に形成された粘着層３と、粘着層３を覆うべくこれに剥離可能に貼着された剥離紙４とを有する。パッチ体２は、補修対象である靴下の編地と同じ丸編みにより編成された綿とポリエステルの混紡糸からなる円形の布である。丸編みには、天竺編、フライス編、スムース編が含まれる。
【００１３】
粘着層３は、主剤としてアクリル樹脂、粘着性付与剤としてイソシアネートを用いたアクリル系接着剤からなる。アクリル系接着剤として、アクリル樹脂、イソシアネート、酢酸エチル及びメチルシクロヘキサンを、それぞれ４１重量％、４重量％、２１重量％及び３４％の成分比で混合してなるものが好適である。このアクリル系接着剤は、綿糸、あるいは綿とポリエステルの混紡糸からなる布との接着性が極めて良好である。
剥離紙４は、靴下補修パッチ１の使用直前に粘着層３から剥がされる。
【００１４】
この靴下補修パッチ１による靴下の補修方法は至って簡単である。たとえば、図２に示すように、靴下１０のつま先部分１０ａにできた孔１１の補修を行う場合、靴下１０を裏返しにして（図２（ａ））、孔１１の周りにしわができないように整えた状態で、孔１１を塞ぐようにパッチ体２を貼り着ける（図２（ｂ））。その際、孔１をできるだけパッチ体２の中央に合わせておく。貼り付けた後、パッチ体２の部分を手のひらで強く押して圧着させる。これにより裏側の補修は完了する。裏側の補修が終わったら、靴下１０を表に返し、裏側と同様、表側にもパッチ体２を貼り着ける（図２（ｃ））。パッチ体２を孔１１の部分を挟んで両側から貼ることにより、孔１１のあいたつま先部分１０ａを強力に補修することができる。パッチ体２を貼り着ける作業を、靴下１０を履いた状態で行えば、孔１１の部分へのパッチ体２の貼り着けを失敗無く至極簡単に行うことができる。
【００１５】
パッチ体２は、補修対象である靴下１０の編地と同じ丸編みにより編成された布であるので、靴下１０のつま先部分１０ａの椀状の立体形状に倣ってフィットし得る伸縮性を有しており、補修後の靴下１０を履いたときにパッチ体２を貼った部分に補修じわが発生し難くい。
【００１６】
したがって、この靴下補修パッチ１によれば、履き心地を損なうことなく靴下１０を補修することができる。また、靴下１０と同程度の伸縮性を有する布からなり且つ前記成分のアクリル系接着剤からなる粘着層３が形成されたパッチ体２を、靴下１０の立体形状にフィットさせて貼り着けるので、アイロンを使用することなく補修を行うことができる。
【００１７】
図３に示す靴下補修パッチセット５は、径寸法が互いに異なる二種類の円形の靴下補修パッチ１Ｓ、１Ｌを台紙６に貼り着けたものである。径寸法が小さい方の靴下補修パッチ１Ｓはつま先用補修シートであり、径寸法が大きい方の靴下補修パッチ１Ｌはかかと用補修シートである。
この靴下補修パッチセット５によれば、靴下１０の補修箇所に適した靴下補修パッチ１Ｓ、１Ｌを台紙６から剥がして靴下１０の補修をおこなうことができる。
【００１８】
図４（ａ）に示す靴下補修パッチ７は、矩形（この例では正方形）の大寸のシートからなる。この靴下補修パッチ７は、靴下１０の補修箇所の大きさや形に応じて、図４（ｂ）に示すように、鋏８などで部分的に切り取って使用することができる。図５は、図４（ａ）の靴下補修パッチ７をハート形に切り取って使用した例を示している。
【符号の説明】
【００１９】
１  靴下補修パッチ
１Ｓ  靴下補修パッチ
１Ｌ  靴下補修パッチ
２  パッチ体
３  粘着層
４  剥離紙
５  靴下補修パッチセット
６  台紙
７  靴下補修パッチ
１０  靴下（補修対象）
１０ａ  つま先部分
１１  孔
【図１】
2011231430.tif 000003
【図２】
2011231430.tif 000004
【図３】
2011231430.tif 000005
【図４】
2011231430.tif 000006
【図５】
2011231430.tif 000007